(57)【要約】  複数のユーザのログインを可能とし、ユーザにとっての利便性（使い易さ）等を向上させることが可能な情報提示装置及び情報提示方法等を提供する。  複数の無線通信機器との間で無線通信可能な情報提示装置は、前記無線通信機器のユーザに対して提示すべき情報の内容又は形式を規定する設定情報を、前記複数の無線通信機器毎に判別可能に記憶する記憶手段と、無線通信が確立した前記無線通信機器を登録する登録手段と、前記登録されている前記無線通信機器に応じた前記設定情報に基づいて、前記情報を提示する提示手段と、を備える。そして、上記提示手段は、複数の前記無線通信機器との間で無線通信が確立され、当該複数の前記無線通信機器が登録された場合に、当該登録されている前記無線通信機器間で共通の前記設定情報に基づいて、前記情報を提示する。
2008047407.tif 000002
【特許請求の範囲】
【請求項１】
複数の無線通信機器との間で無線通信可能な情報提示装置であって、
前記無線通信機器のユーザに対して提示すべき情報の内容又は形式を規定する設定情報を、前記複数の無線通信機器毎に判別可能に記憶する記憶手段と、
無線通信が確立した前記無線通信機器を登録する登録手段と、
前記登録されている前記無線通信機器に応じた前記設定情報に基づいて、前記情報を提示する提示手段と、
を備え、
前記提示手段は、複数の前記無線通信機器との間で無線通信が確立され、当該複数の前記無線通信機器が登録された場合に、当該登録されている前記無線通信機器間で共通の前記設定情報に基づいて、前記情報を提示することを特徴とする情報提示装置。
【請求項２】
請求項１に記載の情報提示装置において、
前記提示手段は、複数の前記無線通信機器との間で無線通信が確立され、当該複数の前記無線通信機器が登録された場合に、当該登録されている第１の前記無線通信機器に応じた第１の前記設定情報と、前記登録されている第２の前記無線通信機器に応じた第２の前記設定情報と、前記登録されている前記無線通信機器間で共通の前記設定情報と、のうち、予め設定された優先順位にしたがったいずれかの前記設定情報に基づいて、前記情報を提示することを特徴とする情報提示装置。
【請求項３】
請求項１に記載の情報提示装置において、
前記提示手段は、複数の前記無線通信機器との間で無線通信が確立され、当該複数の前記無線通信機器が登録された場合に、当該登録されている第１の前記無線通信機器に応じた第１の前記設定情報と、前記登録されている第２の前記無線通信機器に応じた第２の前記設定情報と、前記登録されている前記無線通信機器間で共通の前記設定情報と、の全ての設定情報に基づき、且つ、夫々の前記設定情報に設定された優先順位にしたがって、前記情報を提示することを特徴とする情報提示装置。
【請求項４】
請求項１乃至３の何れか一項に記載の情報提示装置において、
複数の前記無線通信機器との間で無線通信が確立され、当該複数の前記無線通信機器が登録されている状態において、前記情報の内容又は形式が設定された場合に、前記記憶手段は、当該設定された前記情報の内容又は形式を、当該無線通信機器間で共通の前記設定情報として記憶することを特徴とする情報提示装置。
【請求項５】
請求項１乃至４の何れか一項に記載の情報提示装置において、
複数の前記無線通信機器との間で無線通信が確立され、当該複数の前記無線通信機器が登録されている状態において、何れかの前記無線通信機器の登録が解除された場合に、前記提示手段は、当該登録が解除された前記無線通信機器以外の前記登録されている前記無線通信機器に応じた前記設定情報、又は前記登録されている前記無線通信機器間で共通の前記設定情報に基づいて前記情報を提示するように切り替えることを特徴とする情報提示装置。
【請求項６】
複数の無線通信機器との間で無線通信可能な情報提示方法であって、
前記無線通信機器のユーザに対して提示すべき情報の内容又は形式を規定する設定情報を、前記複数の無線通信機器毎に判別可能に記憶する記憶工程と、
無線通信が確立した前記無線通信機器を登録する登録工程と、
前記登録されている前記無線通信機器に応じた前記設定情報に基づいて、前記情報を提示する提示工程と、
を備え、
前記提示工程においては、複数の前記無線通信機器との間で無線通信が確立され、当該複数の前記無線通信機器が登録された場合に、当該登録されている前記無線通信機器間で共通の前記設定情報に基づいて、前記情報を提示することを特徴とする情報提示方法。
【請求項７】
複数の無線通信機器との間で無線通信可能なコンピュータを、
前記無線通信機器のユーザに対して提示すべき情報の内容又は形式を規定する設定情報を、前記複数の無線通信機器毎に判別可能に記憶する記憶手段、
無線通信が確立した前記無線通信機器を登録する登録手段、及び、
前記登録されている前記無線通信機器に応じた前記設定情報に基づいて、前記情報を提示する提示手段として機能させ、
前記提示手段が、複数の前記無線通信機器との間で無線通信が確立され、当該複数の前記無線通信機器が登録された場合に、当該登録されている前記無線通信機器間で共通の前記設定情報に基づいて、前記情報を提示するように機能させることを特徴とする情報提示処理プログラム。
【請求項８】
請求項７に記載の情報提示処理プログラムがコンピュータ読み取り可能に記録されていることを特徴とする記録媒体。
【発明の詳細な説明】
【技術分野】
【０００１】
本発明は、複数の無線通信機器との間で無線通信可能な情報提示装置等の技術分野に関する。
【背景技術】
【０００２】
従来から、例えばパーソナルコンピュータ等において、識別子（ＩＤ）やパスワード等を用いて個人にてログインすることにより所定の機能が実行される技術は多数知られている。このような技術において、ユーザが操作しているコンピュータ上でログアウトする際に、現在の操作環境を次回のログイン時に再現したい場合には、現在の操作環境の情報を収集してサーバへ登録しておき、次回のログイン時には、前回の操作環境を再現する必要があるか否か判別し、必要な場合には、登録してある操作環境の情報を取り出し、これに基づいて再現するようにした技術が知られている（例えば特許文献１参照）。【０００３】
また、ログイン中に特定のユーザがコンピュータ上で設定した内容や登録した情報（データ）等は、基本的には、他のユーザがログインした際には閲覧することができないようになっている（共有データを除く）。
【特許文献１】特開平０５−１８９３４３号公報
【発明の開示】
【発明が解決しようとする課題】
【０００４】
しかしながら、例えば車載用のナビゲーション装置・ＡＶ装置などの複数のユーザ（同乗したユーザ）間で同じ時間帯に使用される装置において、個人でログインしたのでは様々な不都合が生じる。【０００５】
例えば、ログインしていないユーザは、自己が設定等した情報を閲覧や使用等することは困難である。また、ログインしていないユーザは、自己が設定等した情報と、他のユーザがログイン中に設定等した情報を比較することも困難である。【０００６】
また、どのユーザがログインしても同じ情報が提示されるように共有化している場合には、情報が入り乱れ見易さに欠けるという問題がある。【０００７】
このように、従来の技術では、ユーザにとっての利便性（使い易さ）等に欠けるという不都合がある。【０００８】
そこで、本願は、このような不都合の解消を課題の一例として、複数のユーザのログインを可能とし、ユーザにとっての利便性（使い易さ）等を向上させることが可能な情報提示装置及び情報提示方法等を提供することを目的する。
【課題を解決するための手段】
【０００９】
上記課題を解決するため、請求項１に記載の発明は、複数の無線通信機器との間で無線通信可能な情報提示装置であって、前記無線通信機器のユーザに対して提示すべき情報の内容又は形式を規定する設定情報を、前記複数の無線通信機器毎に判別可能に記憶する記憶手段と、無線通信が確立した前記無線通信機器を登録する登録手段と、前記登録されている前記無線通信機器に応じた前記設定情報に基づいて、前記情報を提示する提示手段と、を備え、前記提示手段は、複数の前記無線通信機器との間で無線通信が確立され、当該複数の前記無線通信機器が登録された場合に、当該登録されている前記無線通信機器間で共通の前記設定情報に基づいて、前記情報を提示することを特徴とする。【００１０】
請求項２に記載の発明は、複数の無線通信機器との間で無線通信可能な情報提示方法であって、前記無線通信機器のユーザに対して提示すべき情報の内容又は形式を規定する設定情報を、前記複数の無線通信機器毎に判別可能に記憶する記憶工程と、無線通信が確立した前記無線通信機器を登録する登録工程と、前記登録されている前記無線通信機器に応じた前記設定情報に基づいて、前記情報を提示する提示工程と、を備え、前記提示工程においては、複数の前記無線通信機器との間で無線通信が確立され、当該複数の前記無線通信機器が登録された場合に、当該登録されている前記無線通信機器間で共通の前記設定情報に基づいて、前記情報を提示することを特徴とする。【００１１】
請求項７に記載の情報提示処理プログラムの発明は、複数の無線通信機器との間で無線通信可能なコンピュータを、前記無線通信機器のユーザに対して提示すべき情報の内容又は形式を規定する設定情報を、前記複数の無線通信機器毎に判別可能に記憶する記憶手段、無線通信が確立した前記無線通信機器を登録する登録手段、及び、前記登録されている前記無線通信機器に応じた前記設定情報に基づいて、前記情報を提示する提示手段として機能させ、前記提示手段が、複数の前記無線通信機器との間で無線通信が確立され、当該複数の前記無線通信機器が登録された場合に、当該登録されている前記無線通信機器間で共通の前記設定情報に基づいて、前記情報を提示するように機能させることを特徴とする。【００１２】
請求項８に記載の記録媒体の発明は、請求項７に記載の情報提示処理プログラムがコンピュータ読み取り可能に記録されていることを特徴とする。
【図面の簡単な説明】
【００１３】
【図１】本実施形態に係るナビゲーション装置の概要構成例を示す図である。
【図２】設定情報を無線通信機器毎に判別可能に記憶しているデータベース（例えば、ＨＤ内に構築）の内容を示す図である。
【図３】無線通信機器ＴＡ及び無線通信機器ＴＢがログインした場合の設定情報の優先順位の一例を示す図である。
【図４】無線通信機器が、単独でログインしている場合と複数でログインしている場合におけるディスプレイ７上に表示された画面例を示す図である。
【図５】無線通信機器が、単独でログインしている場合と複数でログインしている場合におけるディスプレイ７上に表示された画面例を示す図である。
【図６】無線通信機器が、単独でログインしている場合と複数でログインしている場合におけるディスプレイ７上に表示された画面例を示す図である。
【図７】本実施形態に係るナビゲーション装置Ｓのシステム制御部１４におけるメイン処理を示すフローチャートである。
【図８】図７における設定情報登録又は更新処理を示すフローチャートである。
【図９】ログインしている無線通信機器についての全ての設定情報に基づき、且つ、夫々の設定情報に設定された優先順位にしたがって楽曲に関する情報が表示されたプレイリストの画面例を示す図である。
【図１０】ログインしている無線通信機器についての全ての設定情報に基づき、且つ、夫々の設定情報に設定された優先順位にしたがって楽曲のタイトル等が表示されたプレイリストの画面例を示す図である。
【符号の説明】
【００１４】
１  チューナ
２  ＣＤ／ＤＶＤドライブ
３  ＨＤドライブ
４  音声処理部
５  スピーカ
６  映像処理部
７  ディスプレイ
８  入力I／Ｆ
９  センサ部
１０  入力部
１１  マイクロフォン
１２  ＧＰＳ受信部
１３  ＢＴ受信部
１４  システム制御部
１５  バス
Ｓ  ナビゲーション装置
【発明を実施するための最良の形態】
【００１５】
以下、本願の最良の実施形態を添付図面に基づいて説明する。なお、以下に説明する実施の形態は、車両の搭載された車載用ナビゲーション・ＡＶ（Audio Visual）装置（以下、単に、「ナビゲーション装置」という）に対して本願を適用した場合の実施形態である。【００１６】
先ず、図１等を参照して、本実施形態に係るナビゲーション装置の構成及び機能を説明する。【００１７】
図１は、本実施形態に係るナビゲーション装置の概要構成例を示す図である。【００１８】
本実施形態に係るナビゲーション装置Ｓは、図１に示すように、チューナ１、ＣＤ（Compact Disc）／ＤＶＤ（Digital Versatile Disc）ドライブ２、ＨＤ（Hard Disk）ドライブ３、音声処理部４、スピーカ５、映像処理部６、ディスプレイ７、入力I／Ｆ（インターフェース）８、センサ部９、入力部１０、マイクロフォン１１、ＧＰＳ（Global Positioning System）受信部１２、ＢＴ（Bluetooth）受信部１３、及びシステム制御部１４等を備えて構成されている。また、チューナ１、ＣＤ／ＤＶＤドライブ２、ＨＤドライブ３、音声処理部４、画像処理部６、入力I／Ｆ８、ＧＰＳ受信部１２、ＢＴ受信部１３、及びシステム制御部１４等は、バス１５に夫々接続されている。【００１９】
チューナ１は、システム制御部１４の制御の下、放送局からのＦＭ放送、ＡＭ放送、又はテレビ放送に係る放送信号（例えば、オーディオデータ、ビデオデータ等を含む）をアンテナ（図示せず）を介して受信して再生するようになっている。【００２０】
ＣＤ／ＤＶＤドライブ２は、システム制御部１４の制御の下、図示しないＣＤやＤＶＤ（記録媒体の一例）に記録されたデータ（例えば、オーディオデータ、ビデオデータ等）の再生を行うようになっている。なお、ＭＤ（Mini Disc）へのデータの記録及び再生を行うＭＤドライブをナビゲーション装置Ｓに備えても良い。【００２１】
記憶手段の一例としてのＨＤドライブ３は、システム制御部１４の制御の下、図示しないＨＤ（記録媒体の一例）へのデータの記録（書き込み）又は再生（読み出し）を行うようになっている。ＨＤには、ナビゲーション装置Ｓ全体の制御を司るプログラム（ナビゲーション（経路探索や経路案内（経路誘導）等）機能に係るプログラム、オーディオ記録、再生機能及びビデオ記録、再生機能に係るプログラム、本願の情報提示プログラム等を含む）、及び各種データ（テキストデータ、画面データ及び地図データ等）が記録されている。なお、上記プログラムは、例えば、インターネット及び移動体通信網（無線基地局を含む）等を含む通信ネットワークに接続された所定のサーバに保存しておき、当該サーバから通信部（図示せず）を介して提供されるものであっても良いし、例えばＣＤ−ＲＯＭ等の記録媒体に記録しておき、当該記録媒体からＣＤ／ＤＶＤドライブ２を介して提供される（読み込まれる）ものであっても良い。【００２２】
また、ＨＤドライブ３は、システム制御部１４の制御の下、ＣＤ／ＤＶＤドライブ２により再生されたオーディオデータ（例えば、楽曲データ）及びビデオデータ等を、ＨＤに記録可能になっている。更に、ＨＤドライブ３は、システム制御部１４の制御の下、ユーザに対して提示（例えば、スピーカ５から音声出力、ディスプレイ７に表示出力）すべき情報の内容又は形式を規定する設定情報をＨＤに記憶するようになっている（詳細は後述）。【００２３】
音声処理部４は、Ｄ（Digital）／Ａ（Analog）コンバータ及びアンプ（図示せず）等を備えており、例えばＣＤ／ＤＶＤドライブ２やＨＤドライブ３から再生出力されたオーディオデータをアナログ信号に変換し、これを増幅してスピーカ５に出力するようになっている。これにより、スピーカ５から音波が出力（拡声）される。なお、かかるスピーカ５は、例えば車両内に複数設置（例えば、車両内の５箇所に設置）されており、その中には、低音域を受け持つウーハーやサブウーハーがある。【００２４】
画像処理部６は、表示データ（例えば、チューナ１、ＣＤ／ＤＶＤドライブ２、又はＨＤドライブ３から再生出力されたビデオデータや画面データ等）を一時的に記憶するＶＲＡＭ（Video Random Access Memory）等のバッファメモリ（図示せず）と、表示データの表示制御を行うグラフィックコントローラ（図示せず）と、を備えており、上記表示データをディスプレイ７に表示出力するようになっている。【００２５】
ディスプレイ７は、例えば、タッチパネル形式の液晶ディスプレイ等からなり、上記表示データ（例えば、地図画面、メニュー画面、映像画面等）を表示する他、ユーザによる押下を検出し、その押下箇所にある各種指示を行うための指示ボタンに対応する指示信号を入力I／Ｆ８を介してシステム制御部８へ出力するようになっている。【００２６】
センサ部９には、例えば、車速パルスに基づき車両の速度を検出する速度センサ、地磁気を利用して車両の走行方位を検出する方位センサ（ジャイロセンサ）、車両の加速度を検出する加速度センサ、車両の走行距離を検出する距離センサ等を備えており、これらのセンサによって検出された各データ（速度データ、方位データ、加速度データ、走行距離データ等）は入力I／Ｆ８を介してシステム制御部８へ出力されるようになっている。【００２７】
入力部１０には、各種指示を行うためのボタンが設けられており、ユーザにより押下された指示ボタンに対応する指示信号が入力I／Ｆ８を介してシステム制御部８へ出力されるようになっている。なお、入力部１０は、各種指示ボタンが設けられたリコモン（図示せず）との間で赤外線通信を行い、当該リモコンからの指示信号を受信して入力I／Ｆ８を介してシステム制御部８へ出力することも可能になっている。【００２８】
マイクロフォン１１は、ユーザにより発話された音声（操作指示）を集音するようになっており、集音された音声は、例えばＡ（Analog）／Ｄ（Digital）コンバータ（図示せず）によりデジタル信号に変換されて入力I／Ｆ８を介してシステム制御部８へ出力されるようになっている。【００２９】
ＧＰＳ受信部１２は、衛星軌道上に配置され地球を周回するＧＰＳ衛星から出力される航法電波を、アンテナ（図示せず）を介して受信し、受信した信号に基づいて現在位置情報（経度及び緯度）を検出し、ＧＰＳデータとしてシステム制御部８へ出力するようになっている。【００３０】
ＢＴ送受信部１３は、例えば、ＬＳＩ（Large-Scale Integration）を主体として構成され、公知のBluetoothに基づく近距離無線通信機能を有しており、Bluetoothを採用した他の無線通信機器との間で近距離無線通信を行うようになっている。なお、無線通信機器は、例えば、携帯電話機、ＰＤＡ（Personal Digital Assistants）、携帯型楽曲プレーヤ等に内蔵又は接続可能である（或いは、単独で用いることも可能）。【００３１】
Bluetoothでは、最大データ伝送速度が約１Ｍｂｐｓ、最大伝送距離が１０ｍ程度の近距離無線通信網を構築してデータ通信を行うものであり、無許可で利用可能な２．４ＧＨｚ帯のＩＳＭ（Industrial Scientific Medical）周波数帯域に帯域幅が１ＭＨｚのチャネルを７９個設定し、１秒間に１６００回チャネルを切り換える周波数ホッピング方式のスペクトラム拡散技術を採用して電子機器間で電波を送受信する。また、Bluetoothでは、スレーブマスタ方式が適用され、周波数ホッピングパターンを決定するマスタ機器（親機器）と、マスタ機器に制御される通信相手のスレーブ機器（子機器）とに別れる。【００３２】
本実施形態においては、ＢＴ送受信部１３をマスタ機器とし、図１に示すユーザＡの無線通信機器ＴＡ、ユーザＢの無線通信機器ＴＢ、及びユーザＣの無線通信機器ＴＣをスレーブ機器とする。なお、無線通信機器ＴＡ、無線通信機器ＴＢ、及び無線通信機器ＴＣの何れか一つが第１の無線通信機器となり、他の何れか一つが第２の無線通信機器となる。【００３３】
マスタ機器であるＢＴ送受信部１３では、一度に複数（例えば、７台）の無線通信機器と同時にデータ通信を行うことができる。このデータ通信は、ＢＴ送受信機１３により制御され、例えば、１ＭＨｚごとに分割された７９チャネル上（２．４０２ＧＨｚ〜２．４８０ＧＨｚ）に毎秒１６００回の周波数ホッピングを行うように周波数変換され、パケット単位で行なわれる。【００３４】
そして、例えば、ＢＴ送受信部１３が、通信可能範囲（例えば、半径１０ｍ）内に存在する無線通信機器ＴＡ（当該無線通信機器ＴＡの電源ＯＮ状態）を認識（発見）すると、お互いのＩＤ（例えば、ＢＴ送受信部１３及び無線通信機器内に記憶されている）を交換して確認した後、乱数を発生させて、当該マスタ−スレーブ機器間におけるリンクキー（暗号キー）を生成するという認証処理を行う。かかる認証処理により、当該マスタ−スレーブ機器間の無線通信が確立（接続の確立）される（無線通信機器ＴＢ及びＴＣの場合も同様）。なお、一度認証処理が行われると、その後の接続時には、認証処理を行うことなく、当該リンクキーに基づきそのマスタ−スレーブ機器間で自動的に無線通信が確立することになる。【００３５】
なお、ナビゲーション装置Ｓには、図示しないが、例えばＶＩＣＳ（Vehicle Information and Communication System）受信機も備えており、これにより、ＦＭ多重放送、道路（主要幹線道路や高速道路）上に設置された光（赤外線）ビーコン、電波（準マイクロ波）ビーコン等から発信された道路交通情報（例えば、渋滞等の交通状況に関する情報）が受信可能になっている。【００３６】
そして、システム制御部１４は、演算機能を有するＣＰＵ（Central Processing Unit）、作業用ＲＡＭ、各種データやプログラムを記憶するＲＯＭ等を備えており、システム制御部１４のＣＰＵが、上述したプログラムを読み出し実行することにより、当該ナビゲーション装置Ｓにおける構成要素全体を統括制御すると共に、本願の登録手段、提示手段等として機能するようになっている。なお、システム制御部１４は、ナビゲーション（現在地から目的地までの経路探索や経路案内等）処理、オーディオ記録、再生処理及びビデオ記録、再生処理を行うようになっているが、これらの処理は公知であるので、詳しい説明を省略する。【００３７】
登録手段としてのシステム制御部１４は、上記のように無線通信が確立した無線通信機器を登録するようになっている。【００３８】
ここで、無線通信機器を登録とは、当該無線通信機器の識別情報（例えば、上記リンクキー生成の際に用いられたＩＤでも良いし、当該無線通信機器が携帯電話機に内蔵されているものであれば、当該携帯電話機の不揮発性メモリに予め記憶されている固有の番号であっても良い）が、例えば、システム制御部１４におけるＲＡＭの所定の記憶領域に記憶されること、或いは、当該無線通信機器に対して割り当てられた上記ＲＡＭの所定の記憶領域にフラグ“１”が記憶されることをいう。このように無線通信機器が登録されることを「無線通信機器のログイン」又は「無線通信機器のユーザのログイン」と称する。【００３９】
また、複数の無線通信機器がＢＴ送受信部１３と無線通信が確立した場合、当該複数の無線通信機器のログインが同じ時間帯に行われる（複数ログイン）。一方、無線通信機器とＢＴ送受信部１３との無線通信が切断された（例えば、当該無線通信機器が通信可能範囲外に移動することによる）場合、当該無線通信機器の登録が解除（例えば、ＲＡＭの所定の記憶領域から当該無線通信機器の識別情報が消去、或いは、当該無線通信機器に対して割り当てられた上記ＲＡＭの所定の記憶領域にフラグ“０”が記憶）される。このように無線通信機器の登録が解除されることを「無線通信機器のログアウト」又は「無線通信機器のユーザのログアウト」と称する。なお、無線通信機器のログアウトは、例えばユーザからのログアウト指示（ログアウトボタンの押下）によりなされても良い。【００４０】
また、提示手段としてのシステム制御部１４は、ログインした（つまり、登録されている）無線通信機器に応じた上記設定情報に基づいて、情報（データ）をユーザに対して提示する。【００４１】
ここで、ログインした無線通信機器のユーザに対して提示すべき情報（例えば、ナビゲーション機能によりユーザに提示される情報や、オーディオ再生及びビデオ再生機能によりユーザに提示される情報）の内容又は形式は、当該ユーザの指示（例えば、入力部１０やディスプレイ７における所定の指示ボタンの押下による）により設定することができ、設定された上記内容又は形式は、当該無線通信機器に応じた（言い換えれば、当該無線通信機器のユーザ独自の）設定情報として規定され、例えばＨＤに更新可能に記憶される。【００４２】
上記設定情報として規定可能な情報の形式の一例としては、ディスプレイ７上における画面の表示形式（例えば、１画面表示或いは２画面分割表示にするかの設定や、地図表示或いはテレビ映像表示にするかの設定や、ナビゲーション機能における地図表示形式の設定（例えば、ノースアップ、コースアップ、或いはスカイビュー等にするかの設定）等による）や、スピーカ５からの音声出力形式（例えば、公知の音場設定（例えば、ウーハーやサブウーハーへの音声出力をロックしたり、運転席側のスピーカ５と助手席側のスピーカ５との音量を異ならせる）等による）等が挙げられる。【００４３】
また、上記設定情報として規定可能な情報の内容の一例としては、ディスプレイ７上における画面の表示内容や、ナビゲーション機能における目的地リストの内容（例えば、ユーザの指示により設定された目的地）、楽曲再生機能におけるプレイ（再生）リストの内容（ユーザの指示によりお気に入り登録された楽曲、ユーザの指示により再生された楽曲、或いはユーザの指示によりリッピング（例えばＣＤからＨＤに記録）された楽曲等）等が挙げられる。【００４４】
更に、システム制御部１４は、複数の無線通信機器との間で無線通信が確立され、当該複数の無線通信機器がログインした場合に、当該ログインしている無線通信機器（言い換えれば、ユーザ）間で共通の設定情報を優先し、当該設定情報に基づいて、上記情報をユーザに対して提示する。【００４５】
ここで、無線通信機器間で共通の設定情報とは、当該複数の無線通信機器がログインしている状態において、ユーザ（運転者又は同乗者）の指示により設定等された情報の内容又は形式を規定する設定情報を意味する。例えば、無線通信機器ＴＡを所持したユーザＡと無線通信機器ＴＢを所持したユーザＢとが同乗（無線通信機器ＴＡ及び無線通信機器ＴＢが同時期にログイン）してドライブしている際に再生された楽曲（より具体的には、当該楽曲のタイトル及びＩＤ等）を登録したプレイリスト（なお、例えば無線通信機器ＴＡのみがログインしている際に再生された楽曲は別のプレイリストに登録される）の内容が無線通信機器ＴＡと無線通信機器ＴＢ間で共通の（言い換えれば、無線通信機器ＴＡのユーザＡと無線通信機器ＴＢのユーザＢが共有する）設定情報として規定され、例えばＨＤに更新可能に記憶されることになる。【００４６】
図２は、設定情報を無線通信機器毎に判別可能に記憶しているデータベース（例えば、ＨＤ内に構築）の内容を示す図である。【００４７】
図２に示すデータベースにおいては、各無線通信機器（又は、複数の無線通信機器の組み合わせ）の識別情報に対応付けられて、夫々の設定情報が記憶されている。例えば、無線通信機器ＴＡ及び無線通信機器ＴＢがログインされた場合には、システム制御部１４は、無線通信機器ＴＡに応じた設定情報５１と、無線通信機器ＴＢに応じた設定情報５２と、無線通信機器ＴＡと無線通信機器ＴＢ間で共通の設定情報５３と、のうち、予め設定された優先順位にしたがったいずれかの設定情報（優先順位が最も高い設定情報）を取得（ログインとして登録されている識別情報に基づき当該設定情報を取得）し、当該設定情報に基づいて上記情報を提示する。なお、システム制御部１４は、当該設定情報に規定されていない内容又は形成については、初期（デフォルト）設定に従うことになる。【００４８】
図３は、無線通信機器ＴＡ及び無線通信機器ＴＢがログインした場合の設定情報の優先順位の一例を示す図である。【００４９】
図３に示す例では、無線通信機器ＴＡと無線通信機器ＴＢ間で共通の設定情報の優先順位が最も高く、続いて、無線通信機器ＴＡに応じた設定情報、無線通信機器ＴＢに応じた設定情報、初期（デフォルト）設定情報の順に、優先順位が低くなっている。このような優先順位を示す情報は、無線通信機器ＴＡ及び無線通信機器ＴＢの識別情報に対応付けられて例えばＨＤに記憶される。また、かかる優先順位は、ユーザの指示により変更設定可能（例えば、無線通信機器ＴＡと無線通信機器ＴＢ間で共通の設定情報よりも、無線通信機器ＴＡに応じた設定情報の優先順位を高くする設定可能）になっている。なお、無線通信機器ＴＡ、無線通信機器ＴＢ、及び無線通信機器ＴＣがログインしている場合、初期設定では、無線通信機器ＴＡと無線通信機器ＴＢと無線通信機器ＴＣ間で共通の設定情報の優先順位が最も高くなっているが、ユーザは、無線通信機器ＴＡと無線通信機器ＴＢ間で共通の設定情報の優先順位が最も高くなるように変更設定可能である。【００５０】
また、複数の無線通信機器がログインしている状態において、そのうち、何れかの無線通信機器がログアウトした場合、システム制御部１４は、当該ログアウトした無線通信機器以外の無線通信機器に応じた設定情報、又はログインしている無線通信機器間で共通の設定情報に基づいて情報を提示するように切り替えるようになっている。例えば、無線通信機器ＴＡ、無線通信機器ＴＢ、及び無線通信機器ＴＣがログインしており、無線通信機器ＴＡと無線通信機器ＴＢと無線通信機器ＴＣ間で共通の設定情報に基づいて上記情報が提示されている場合に、無線通信機器ＴＣがログアウトしたとき、当該ログアウトした無線通信機器ＴＣ以外の無線通信機器ＴＡ（又はＴＢ）に応じた設定情報、又はログインしている無線通信機器ＴＡ及びＴＢ間で共通の設定情報に基づいて（どの設定情報に基づくかは、そのときの優先順位にしたがう）、情報が提示されることになる。【００５１】
図４乃至図６は、無線通信機器が、単独でログインしている場合と複数でログインしている場合におけるディスプレイ７上に表示された画面例を示す図である。【００５２】
図４（Ａ）は、無線通信機器ＴＡが単独でログインしている場合のナビゲーション機能における地図等の画面例であり、図４（Ｂ）は、無線通信機器ＴＡと無線通信機器ＴＢの双方がログインしている場合のナビゲーション機能における地図等の画面例であるが、無線通信機器ＴＡが単独でログインしている場合と、無線通信機器ＴＡと無線通信機器ＴＢの双方がログインしている場合とで、画面形式が異なっている（１画面表示と２画面分割表示）。なお、図４（Ａ），（Ｂ）に示す「メニュー」ボタン５５をユーザが選択指示すると、画面形式の設定等各種設定を行うための画面や、ナビゲーション装置Ｓに搭載される各種機能を実行させるための選択項目を表示した画面に移行される。【００５３】
図５（Ａ）は、無線通信機器ＴＡが単独でログインしている場合のナビゲーション機能における目的地リストの画面例であり、図５（Ｂ）は、無線通信機器ＴＡと無線通信機器ＴＢの双方がログインしている場合のナビゲーション機能における目的地リストの画面例であるが、無線通信機器ＴＡが単独でログインしている場合と、無線通信機器ＴＡと無線通信機器ＴＢの双方がログインしている場合とで目的地リストの内容が異なっている。例えば、図５（Ａ）に示す目的地リストにおける目的地は、現在又は過去に無線通信機器ＴＡが単独でログインしている場合にユーザＡの指示により設定された目的地であり、図５（Ｂ）に示す目的地リストにおける目的地は、現在又は過去に無線通信機器ＴＡと無線通信機器ＴＢの双方がログインしている場合にユーザＡ又はユーザＢの指示により設定された目的地である。なお、当該目的地リストに表示された目的地がユーザにより選択指示されると、目的地設定され、当該目的地までの経路探索が行われることになる。【００５４】
図６（Ａ）は、無線通信機器ＴＡが単独でログインしている場合の楽曲再生機能におけるプレイリストの画面例であり、図６（Ｂ）は、無線通信機器ＴＡと無線通信機器ＴＢの双方がログインしている場合の楽曲再生機能におけるプレイリストの画面例であるが、無線通信機器ＴＡが単独でログインしている場合と、無線通信機器ＴＡと無線通信機器ＴＢの双方がログインしている場合とでプレイリストの内容が異なっている。例えば、図６（Ａ）に示すプレイリストにおける楽曲は、現在又は過去に無線通信機器ＴＡが単独でログインしているときにユーザＡの指示により再生（或いは、お気に入り登録）された楽曲であり、図６（Ｂ）に示すプレイリストにおける楽曲は、現在又は過去に無線通信機器ＴＡと無線通信機器ＴＢの双方がログインしているときにユーザＡ又はユーザＢの指示により再生（或いは、お気に入り登録）された楽曲である。なお、当該プレイリストに表示された楽曲（タイトル）がユーザにより選択指示されると、当該楽曲が再生されることになる。【００５５】
次に、図７及び図８等を参照して、本実施形態に係るナビゲーション装置Ｓの動作を説明する。【００５６】
図７は、本実施形態に係るナビゲーション装置Ｓのシステム制御部１４におけるメイン処理を示すフローチャートであり、図８は、図７における設定情報登録又は更新処理を示すフローチャートである。【００５７】
図７に示すメイン処理は、例えばナビゲーション装置Ｓの電源がＯＮになった場合に開始され、システム制御部１４は、先ず、ＢＴ送受信部１３と無線通信機器との間で無線通信が確立されたか否かを判別し（ステップＳ１）、無線通信が確立されていない場合には（ステップＳ１：Ｎ）、通常の処理を行い（ステップＳ２）、続いて、電源ＯＦＦ指令があったか否かを判別し（ステップＳ３）、電源ＯＦＦ指令があった場合には（ステップＳ３：Ｙ）、当該処理を終了し、電源ＯＦＦ指令がない場合には（ステップＳ３：Ｎ）、ステップＳ１に戻り、上記と同様の処理を行う。なお、上記通常の処理は、無線通信機器のログインを必要としない一般的な情報提示処理であり、デフォルト設定にしたがって画面表示等が行われる。【００５８】
一方、ＢＴ送受信部１３が通信可能範囲（例えば、半径１０ｍ）内に存在する無線通信機器（電源ＯＮ状態にある）を発見し、上述したようにＢＴ送受信部１３と無線通信機器との間で無線通信が確立した場合、システム制御部１４は、当該無線通信の確立を認識し（ステップＳ１：Ｙ）、当該無線通信の確立した無線通信機器についてのログイン処理を実行する（ステップＳ４）。かかるログイン処理において、システム制御部１４は、例えば、無線通信が確立した例えば無線通信機器ＴＡの識別情報をＲＡＭの所定の記憶領域に記憶する（或いは、当該無線通信機器に対して割り当てられた上記ＲＡＭの所定の記憶領域にフラグ“１”が記憶されるものであっても良い）。これにより、無線通信機器ＴＡのログインが完了する。【００５９】
次いで、システム制御部１４は、当該ログインした無線通信機器ＴＡに応じた設定情報（当該無線通信機器ＴＡの識別情報に対応付けられた設定情報）を、ＨＤドライブ３を介してＨＤから取得（読み込んでＲＡＭに展開）する（ステップＳ５）。【００６０】
ステップＳ６における設定情報に基づいた処理では、ユーザの指示に従った各種処理（ナビゲーション処理、オーディオ記録、再生処理及びビデオ記録、再生処理等）が行われ、このとき、上記取得された設定情報に基づき、上述したように情報の提示が行われる。【００６１】
次いで、システム制御部１４は、ＢＴ送受信部１３と別の無線通信機器との間で新たに無線通信が確立されたか否かを判別し（ステップＳ７）、新たな無線通信の確立を認識した場合には（ステップＳ７：Ｙ）、ステップＳ４に移行し、当該無線通信の確立した無線通信機器についてのログイン処理を実行する。かかるログイン処理において、システム制御部１４は、例えば、新たに無線通信が確立した例えば無線通信機器ＴＢの識別情報をＲＡＭの所定の記憶領域に記憶する。これにより、無線通信機器ＴＢのログインが完了する。なお、ユーザが、任意の無線通信機器の識別情報をナビゲーション装置Ｓにおけるログイン許可リストに予め登録しておき、システム制御部１４は、当該ログイン許可リストに登録されている無線通信機器のみログインを許可するように構成しても良い。【００６２】
次いで、システム制御部１４は、当該新たにログインした無線通信機器ＴＢに応じた設定情報と、既にログインしている無線通信機器ＴＡに応じた設定情報と、当該無線通信機器ＴＡと無線通信機器ＴＢ間で共通の設定情報と、のうち、予め設定された優先順位にしたがったいずれかの設定情報（優先順位が最も高い設定情報）を、ＨＤドライブ３を介してＨＤから取得（読み込んでＲＡＭに展開）する（ステップＳ５）。こうして、例えば、優先順位が最も高い無線通信機器ＴＡと無線通信機器ＴＢ間で共通の設定情報が取得され（設定情報が取得し直され）、当該取得された設定情報に基づき、上述したように情報の提示が行われる。【００６３】
一方、上記ステップＳ７において、新たな無線通信が確立されていない場合には（ステップＳ７：Ｎ）、システム制御部１４は、ログインしている無線通信機器がログアウトされるか否か判別し（ステップＳ８）、ログアウトされる（例えば、ユーザからログアウト指示があったか、或いは、ＢＴ送受信部１３との間の無線通信が切断した）場合には（ステップＳ８：Ｙ）、当該無線通信機器についてのログアウト処理を実行する（ステップＳ９）。かかるログアウト処理において、システム制御部１４は、例えばログアウト対象となる無線通信機器を特定し、当該無線通信機器の識別情報をＲＡＭの所定の記憶領域から消去する。これにより、当該無線通信機器のログアウトが完了する。【００６４】
次いで、システム制御部１４は、未だログイン中の無線通信機器が存在するか否かを判別（例えば、無線通信機器の識別情報がＲＡＭに記憶されているか否かで判別）し（ステップＳ１０）、存在する場合には（ステップＳ１０：Ｙ）、ステップＳ５に移行し、ログイン中の無線通信機器に応じた設定情報（或いは、複数の無線通信機器が未だログイン中である場合には、例えば、優先順位が最も高い、複数の無線通信機器間で共通の設定情報）を取得し（設定情報の取得し直し）、当該取得した設定情報に基づき、上述したように情報の提示を行うことになる（情報の提示形式又は提示内容の切り替え）。【００６５】
一方、上記ステップＳ１０において、未だログイン中の無線通信機器が存在しないと判別された場合には（ステップＳ１０：N）、ステップＳ１に戻り、上記と同様の処理が行われる。【００６６】
一方、上記ステップＳ８において、システム制御部１４は、無線通信機器がログアウトされないと判別した場合には（ステップＳ８：Ｎ）、設定情報の登録又は更新に関わるユーザ指示があったか否かを判別する（ステップＳ１１）。設定情報の登録又は更新に関わるユーザ指示として、例えば、上述したように、画面の表示形式の設定指示、音場設定指示、目的地の設定指示、お気に入り楽曲登録指示、楽曲再生指示、楽曲のリッピング指示等が挙げられる。なお、ユーザがこれらの指示を行う場合の詳細については、公知例を適用できるので説明を省略する。【００６７】
そして、設定情報の登録又は更新に関わるユーザ指示があった場合（この場合、当該ユーザの指示により設定等された情報の内容又は形式を示すデータは、例えばＲＡＭの特定領域に一時格納されている）には（ステップＳ１１：Ｙ）、システム制御部１４は、設定情報登録又は更新処理（後述する）を実行し（ステップＳ１２）、設定情報の登録又は更新に関わるユーザ指示がない場合には（ステップＳ１１：Ｎ）、ステップＳ１３に移行する。【００６８】
ステップＳ１３においては、電源ＯＦＦ指令があったか否かが判別され、電源ＯＦＦ指令があった場合には（ステップＳ１３：Ｙ）、当該処理が終了され、電源ＯＦＦ指令がない場合には（ステップＳ１３：Ｎ）、ステップＳ６に戻り、上記と同様の処理が行われる。【００６９】
そして、ステップＳ１２における設定情報登録又は更新処理においては、図８に示すように、システム制御部１４は、先ず、上記ユーザの指示により設定等された情報の内容又は形式を示すデータを特定する（ステップＳ１２１）。【００７０】
次いで、システム制御部１４は、現在ログインしている無線通信機器の識別情報を認識し（ステップＳ１２２）、当該認識した識別情報に対応付けられた設定情報（例えば、２つの無線通信機器がログインしている場合、当該２つの無線通信機器の識別情報の組合せに対応付けられた設定情報（例えば、図２に示す設定情報５３））が既に記憶されているか否かを判別する（ステップＳ１２３）。【００７１】
そして、上記認識した識別情報に対応付けられた設定情報が既に記憶されている場合には（ステップＳ１２３：Ｙ）、システム制御部１４は、上記特定された情報の内容又は形式を示すデータを当該設定情報（ＨＤにおけるデータベース中の設定情報と、ステップＳ５においてＲＡＭに展開された設定情報との双方）中に記憶（例えば、当該データ（例えば、目的地等を示すデータ）を追加して登録（記憶）、又は当該データ（例えば、画面の表示形式を示すデータ）に書き換え登録（記憶））し（ステップＳ１２４）、図７に示す処理に戻る。【００７２】
一方、上記認識した識別情報に対応付けられた設定情報が未だ記憶されていない場合には（ステップＳ１２３：Ｎ）、システム制御部１４は、上記特定された情報の内容又は形式を示すデータを、新たな設定情報として上記認識した識別情報に対応付けて記憶し（ステップＳ１２５）、図７に示す処理に戻る。【００７３】
なお、ＲＡＭの特定領域に一時格納されている上記ユーザの指示により設定等された情報の内容又は形式を示すデータは、例えばステップＳ１２４又はステップＳ１２４の処理後に消去される。【００７４】
以上説明したように、上記実施形態によれば、ナビゲーション装置Ｓは、ユーザに対して提示すべき情報の内容又は形式を規定する設定情報を、複数の無線通信機器毎に判別可能にデータベースに記憶しておき、複数の無線通信機器との間で無線通信が確立され、当該複数の無線通信機器がログインした場合に、当該ログインしている無線通信機器間で共通の設定情報を上記データベースから取得し、当該取得した設定情報に基づいて情報を提示するようにしたので、当該ナビゲーション装置Ｓは、提供可能な大量の情報の中から、無線通信機器を用いて一緒にログインしたユーザの組み合わせに応じた（これらのユーザによりカスタマイズされた）共通の情報を、上記大量の情報中に埋もれさせることなく抜粋し、優先的に提示（表示又は音声出力）することができる。従って、それらのユーザにとっての利便性（使い易さ）を向上させ、検索性の向上させることができ、また、その場に居合わせたユーザに応じて設定をやり直す（変更）等の手間を削減することができる。また、ログインしていないユーザに応じた情報（例えば当該ユーザのプライベートな情報）は提示されないので（当該ユーザが自己の無線通信機器を手放さない限り）、各ユーザのプライベートな情報が、当該各ユーザが居合わせない場で漏洩することを防止することができる。【００７５】
また、複数の無線通信機器がログインしている状態において、ユーザに提供される情報の内容又は形式が設定等された場合に、当該設定等された情報の内容又は形式が、当該無線通信機器間で共通の設定情報として記憶される（すなわち、複数の無線通信機器がログインしたときの各ユーザの指示に基づく内容が設定情報として蓄積され（残され））、後から同じユーザの組み合わせでログインしたときには、蓄積されている設定情報（言い換えれば、過去の操作履歴）に基づき、そのユーザの組み合わせに応じた共通の情報が優先して提示されるので、それらのユーザの共通の思い出等を明らかにさせることができる。【００７６】
更に、複数の無線通信機器がログインした場合に、当該ログインしている夫々の無線通信機器に応じた設定情報と、当該ログインしている無線通信機器間で共通の設定情報と、のうち、予め設定された優先順位にしたがったいずれかの設定情報に基づいて、情報を提示するようにしたので、提供可能な大量の情報の中から、例えば優先順位が最も高い設定情報に基づく情報を提示することができる。また、当該優先順位はユーザにより任意に変更設定可能であるので、より一層の利便性（使い易さ）を向上させることができる。【００７７】
更にまた、複数の無線通信機器がログインしている状態において、何れかの無線通信機器がログアウト（例えば、無線通信機器を持ったユーザが車両から降車すること等による）した場合に、当該ログアウトした無線通信機器以外のログインしている無線通信機器に応じた設定情報、又はログインしている無線通信機器間で共通の設定情報に基づいて情報を提示するように切り替えることとしたので、ログアウトしたユーザを除いたユーザに応じた情報を提示するように自動的に切り替えることができ、より一層の利便性（使い易さ）を向上させ、設定をやり直す（変更）等の手間を削減することができる。【００７８】
なお、上記実施形態においては、複数のユーザが、夫々１つずつ無線通信機器を用いてログインする場合の例を示したが、別の例として、複数の無線通信機器を所有する一人のユーザが、そのときの用件、状況、用途等に応じて使い分けるようにしても良い。例えば、当該ユーザがデートで車両を利用する際には無線通信機器ＴＡを用いてログインし、仕事で車両を利用する際には無線通信機器ＴＢを用いてログインし、複数の仲間で車両を利用する際には無線通信機器ＴＣを用いてログインする等の例が挙げられる。【００７９】
また、上記実施形態においては、予め設定された優先順位が最も高い設定情報が取得され、当該取得した設定情報に基づいて情報を提示するようにしたが、別の例として、複数の無線通信機器がログインした場合に、当該ログインしている夫々の無線通信機器に応じた設定情報と、当該ログインしている無線通信機器間で共通の設定情報と、の全ての設定情報に基づき、且つ、夫々の設定情報に設定された優先順位にしたがって情報を提示するように構成すれば、更に利便性を向上させることができる。【００８０】
この場合の実施形態を、図９及び図１０を用いて説明する。なお、図９及び図１０は、ログインしている無線通信機器についての全ての設定情報に基づき、且つ、夫々の設定情報に設定された優先順位にしたがって楽曲に関する情報（タイトル等）が表示されたプレイリストの画面例を示す図である。なお、この場合の前提として、図３に示すように、無線通信機器ＴＡ及び無線通信機器ＴＢがログインされており、設定情報の優先順位は、無線通信機器ＴＡと無線通信機器ＴＢ間で共通の設定情報が１位（最も高い）、無線通信機器ＴＡに応じた設定情報が２位、無線通信機器ＴＢに応じた設定情報が３位、初期（デフォルト）設定情報が４位となっているものとする（かかる優先順位は、ユーザの指示により変更設定可能）。また、この場合の図７に示すステップＳ５では、ログインしている全ての無線通信機器に関する設定情報（例えば、無線通信機器ＴＡに応じた設定情報、無線通信機器ＴＢに応じた設定情報、及び無線通信機器ＴＡと無線通信機器ＴＢ間で共通の設定情報）がＨＤから取得（読み込んでＲＡＭに展開）されることになる。【００８１】
図９に示すプレイリストの画面例では、無線通信機器ＴＡと無線通信機器ＴＢ間で共通の設定情報で規定された複数の楽曲に関する情報（ＡＡＡＡＡ，ＢＢＢＢＢ，ＣＣＣＣＣ，ＤＤＤＤＤ）が最も上位に位置（つまり、ユーザが把握及び選択指示しやすい位置）し、その次に無線通信機器ＴＡに応じた設定情報で規定された複数の楽曲に関する情報（ＸＸＸＸ，ＹＹＹＹＹ，ＺＺＺＺＺ）が位置し、その次に無線通信機器ＴＢに応じた設定情報で規定された複数の楽曲に関する情報（ＦＦＦＦＦ，ＥＥＥＥＥ，ＵＵＵＵＵ）が位置し、最後にその他の楽曲（ＨＤに記録されているが、上記何れの設定情報に規定されなかった大量の楽曲）に関する情報（ＯＯＯＯＯ）が位置（例えば、スクロールして表示させないと把握できない位置）するようになっている。【００８２】
一方、図１０に示すプレイリストの画面例では、無線通信機器ＴＡと無線通信機器ＴＢ間で共通の設定情報で規定された複数の楽曲に関する情報を表示するプレイリスト６１と、無線通信機器ＴＡに応じた設定情報で規定された複数の楽曲に関する情報を表示するプレイリスト６２と、無線通信機器ＴＢに応じた設定情報で規定された複数の楽曲に関する情報を表示するプレイリスト６３と、その他の楽曲に関する情報を表示するプレイリスト６４と、が、切り替えボタン（タブ）７１〜７４により切り替え表示可能になっており、当該画面の初期表示の段階では図１０（Ａ）に示すようにプレイリスト６１が優先して表示されるようになっている。各プレイリスト６１〜６４に対応する切り替えボタン（タブ）７１〜７４は、設定情報の優先順位にしたがった並べて表示されることになる。そして、例えば図１０（Ａ）に示す表示状態において、ユーザが入力部１０を操作して切り替えボタン７２を選択指示すると、図１０（Ｂ）に示すようにプレイリスト６２が表示され、切り替えボタン７３を選択指示すると、図１０（Ｃ）に示すようにプレイリスト６３が表示され、切り替えボタン７４を選択指示すると、図１０（Ｄ）に示すようにプレイリスト６４が表示されることになる。なお、別の例として、各プレイリスト６１〜６４を一画面上に表示させると共に、各プレイリスト６１〜６４の表示領域の面積を、優先順位にしたがって異ならせるように分割して表示するように構成（例えば、プレイリスト６４→プレイリスト６３→プレイリスト６２→プレイリスト６１の順に表示領域の面積を大きくする）しても良い。【００８３】
なお、この実施形態では、プレイリストを例にとって説明したが、これに限定されるものではなく、例えばナビゲーション機能における目的地リストであっても同様に適用可能である。【００８４】
図９及び図１０を用いて説明したように、ログインしている夫々の無線通信機器に応じた設定情報と、当該ログインしている無線通信機器間で共通の設定情報と、の全ての設定情報に基づき、且つ、夫々の設定情報に設定された優先順位にしたがって情報（楽曲に関する情報）を提示するように構成すれば、無線通信機器を用いて一緒にログインしたユーザに応じた例えば楽曲に関する情報を設定情報の優先順位にしたがって段階的に提示することができ、更に、現在ログイン中の各ユーザは、独自でログインしたときの設定情報に基づく情報を（例えば、一人でログインしたときに、どのような楽曲を聴いていたかをプレイリスト上で）見せ合い比較することができる。【００８５】
なお、以上の実施形態においては、無線通信機器とＢＴ送受信部１３との間の無線通信が確立している場合に、ログインしているもの（つまり、無線通信が切断されたときにはログアウトとなる）として説明したが、別の例として、無線通信機器が、一旦ＢＴ送受信部１３と無線通信が行われログインした後、ただちに当該無線通信が切断されたとしても、システム制御部１４が、その無線通信機器のログイン状態を維持するように認識し、例えば、ユーザからのログアウト指示（ログアウトボタンの押下）があった場合にはじめて、当該無線無線通信機器のログアウト処理を行うように構成しても良い。【００８６】
また、上記無線通信機器として、Bluetoothを採用した他の無線通信機器を例にとって説明したが、これに限定されるものではなく、この他にも、例えば、赤外線や、８０２．１１ｂ、ＩＥＥＥ８０２．１１ｅ等による広帯域なスループットを実現できる無線規格や、さらには、ＰｕｌｓＯＮテクノロジと呼ばれる拡散型無線通信等による無線規格を採用した無線通信機器を適用することも可能である。また、無線通信機器として、公知のＩＣタグやＩＣカード等を適用することも可能である。【００８７】
また、以上の実施形態においては、「設定情報に基づいて提示する情報」の例を種々説明したが、これらに限定されるものではなく、本願の趣旨を逸脱しない範囲で様々な情報に対して適用することができ、例えば、ログイン中のユーザにより登録された写真画像データ等についても適用可能である。【００８８】
また、特定の無線通信機器がログインした際に、提供すべき情報の内容又は形式を予め設定情報に規定しておくように構成しても良い。例えば、ナビゲーション装置Ｓの各種機能を扱うことが苦手なユーザ（例えば、運転者の母親等）が用いる無線通信機器に応じた設定情報では、ナビゲーション装置Ｓを操作し易いように最低限の機能を実行させるボタン（例えば、楽曲再生機能に係るボタン）のみを画面上に表示させるように予め規定しておくなどが挙げられる。【００８９】
また、ある複数の無線通信機器の組合せでログインした場合には、何らかのイベントが発生する（例えば、ログインした際に特定の音楽を再生させたり、ナビゲーション機能におけるガイドの音声が変わったりする等）ように、予め設定情報に規定しておくように構成しても良い。【００９０】
また、以上の実施形態においては、本願の情報提示装置等を車載用ナビゲーション・ＡＶ装置に適用した場合の例について説明したが、これに限定されるものではなく、車載用、家庭用、業務用のＡＶ機器やオーディオ機器、汎用のパーソナルコンピュータ等に対しても適用可能である。
【図１】
2008047407.tif 000003
【図２】
2008047407.tif 000004
【図３】
2008047407.tif 000005
【図４】
2008047407.tif 000006
【図５】
2008047407.tif 000007
【図６】
2008047407.tif 000008
【図７】
2008047407.tif 000009
【図８】
2008047407.tif 000010
【図９】
2008047407.tif 000011
【図１０】
2008047407.tif 000012
【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
複数の無線通信機器との間で無線通信可能な情報提示装置であって、
前記無線通信機器のユーザに対して提示すべき情報の内容又は形式が前記ユーザによって設定された設定情報を、前記複数の無線通信機器毎に判別可能に記憶する記憶手段と、
無線通信が確立した前記無線通信機器を登録する登録手段と、
前記登録されている前記無線通信機器に応じた前記設定情報に基づいて、前記情報を提示する提示手段と、
を備え、
前記提示手段は、複数の前記無線通信機器との間で無線通信が確立され、当該複数の前記無線通信機器が登録された場合に、当該登録されている前記無線通信機器間で共通の前記設定情報に基づいて、前記情報を提示することを特徴とする情報提示装置。
【請求項２】
請求項１に記載の情報提示装置において、
前記提示手段は、複数の前記無線通信機器との間で無線通信が確立され、当該複数の前記無線通信機器が登録された場合に、当該登録されている第１の前記無線通信機器に応じた第１の前記設定情報と、前記登録されている第２の前記無線通信機器に応じた第２の前記設定情報と、前記登録されている前記無線通信機器間で共通の前記設定情報と、のうち、予め設定された優先順位にしたがったいずれかの前記設定情報に基づいて、前記情報を提示することを特徴とする情報提示装置。
【請求項３】
請求項１に記載の情報提示装置において、
前記提示手段は、複数の前記無線通信機器との間で無線通信が確立され、当該複数の前記無線通信機器が登録された場合に、当該登録されている第１の前記無線通信機器に応じた第１の前記設定情報と、前記登録されている第２の前記無線通信機器に応じた第２の前記設定情報と、前記登録されている前記無線通信機器間で共通の前記設定情報と、の全ての設定情報に基づき、且つ、夫々の前記設定情報に設定された優先順位にしたがって、前記情報を提示することを特徴とする情報提示装置。
【請求項４】
請求項１乃至３の何れか一項に記載の情報提示装置において、
複数の前記無線通信機器との間で無線通信が確立され、当該複数の前記無線通信機器が登録されている状態において、前記情報の内容又は形式が設定された場合に、前記記憶手段は、当該設定された前記情報の内容又は形式を、当該無線通信機器間で共通の前記設定情報として記憶することを特徴とする情報提示装置。
【請求項５】
請求項１乃至４の何れか一項に記載の情報提示装置において、
複数の前記無線通信機器との間で無線通信が確立され、当該複数の前記無線通信機器が登録されている状態において、何れかの前記無線通信機器の登録が解除された場合に、前記提示手段は、当該登録が解除された前記無線通信機器以外の前記登録されている前記無線通信機器に応じた前記設定情報、又は前記登録されている前記無線通信機器間で共通の前記設定情報に基づいて前記情報を提示するように切り替えることを特徴とする情報提示装置。
【請求項６】
複数の無線通信機器との間で無線通信可能な情報提示方法であって、
前記無線通信機器のユーザに対して提示すべき情報の内容又は形式が前記ユーザによって設定された設定情報を、前記複数の無線通信機器毎に判別可能に記憶する記憶工程と、
無線通信が確立した前記無線通信機器を登録する登録工程と、
前記登録されている前記無線通信機器に応じた前記設定情報に基づいて、前記情報を提示する提示工程と、
を備え、
前記提示工程においては、複数の前記無線通信機器との間で無線通信が確立され、当該複数の前記無線通信機器が登録された場合に、当該登録されている前記無線通信機器間で共通の前記設定情報に基づいて、前記情報を提示することを特徴とする情報提示方法。
【請求項７】
複数の無線通信機器との間で無線通信可能なコンピュータを、
前記無線通信機器のユーザに対して提示すべき情報の内容又は形式が前記ユーザによって設定された設定情報を、前記複数の無線通信機器毎に判別可能に記憶する記憶手段、
無線通信が確立した前記無線通信機器を登録する登録手段、及び、
前記登録されている前記無線通信機器に応じた前記設定情報に基づいて、前記情報を提示する提示手段として機能させ、
前記提示手段が、複数の前記無線通信機器との間で無線通信が確立され、当該複数の前記無線通信機器が登録された場合に、当該登録されている前記無線通信機器間で共通の前記設定情報に基づいて、前記情報を提示するように機能させることを特徴とする情報提示処理プログラム。
【請求項８】
請求項７に記載の情報提示処理プログラムがコンピュータ読み取り可能に記録されていることを特徴とする記録媒体。
【手続補正２】
【補正対象書類名】明細書
【補正対象項目名】０００９
【補正方法】変更
【補正の内容】
【０００９】
上記課題を解決するため、請求項１に記載の発明は、複数の無線通信機器との間で無線通信可能な情報提示装置であって、前記無線通信機器のユーザに対して提示すべき情報の内容又は形式が前記ユーザによって設定された設定情報を、前記複数の無線通信機器毎に判別可能に記憶する記憶手段と、無線通信が確立した前記無線通信機器を登録する登録手段と、前記登録されている前記無線通信機器に応じた前記設定情報に基づいて、前記情報を提示する提示手段と、を備え、前記提示手段は、複数の前記無線通信機器との間で無線通信が確立され、当該複数の前記無線通信機器が登録された場合に、当該登録されている前記無線通信機器間で共通の前記設定情報に基づいて、前記情報を提示することを特徴とする。
【手続補正３】
【補正対象書類名】明細書
【補正対象項目名】００１０
【補正方法】変更
【補正の内容】
【００１０】
請求項６に記載の発明は、複数の無線通信機器との間で無線通信可能な情報提示方法であって、前記無線通信機器のユーザに対して提示すべき情報の内容又は形式が前記ユーザによって設定された設定情報を、前記複数の無線通信機器毎に判別可能に記憶する記憶工程と、無線通信が確立した前記無線通信機器を登録する登録工程と、前記登録されている前記無線通信機器に応じた前記設定情報に基づいて、前記情報を提示する提示工程と、を備え、前記提示工程においては、複数の前記無線通信機器との間で無線通信が確立され、当該複数の前記無線通信機器が登録された場合に、当該登録されている前記無線通信機器間で共通の前記設定情報に基づいて、前記情報を提示することを特徴とする。
【手続補正４】
【補正対象書類名】明細書
【補正対象項目名】００１１
【補正方法】変更
【補正の内容】
【００１１】
請求項７に記載の情報提示処理プログラムの発明は、複数の無線通信機器との間で無線通信可能なコンピュータを、前記無線通信機器のユーザに対して提示すべき情報の内容又は形式が前記ユーザによって設定された設定情報を、前記複数の無線通信機器毎に判別可能に記憶する記憶手段、無線通信が確立した前記無線通信機器を登録する登録手段、及び、前記登録されている前記無線通信機器に応じた前記設定情報に基づいて、前記情報を提示する提示手段として機能させ、前記提示手段が、複数の前記無線通信機器との間で無線通信が確立され、当該複数の前記無線通信機器が登録された場合に、当該登録されている前記無線通信機器間で共通の前記設定情報に基づいて、前記情報を提示するように機能させることを特徴とする。
【国際調査報告】
2008047407.tif 000013
2008047407.tif 000014
2008047407.tif 000015
2008047407.tif 000016
2008047407.tif 000017
2008047407.tif 000018